(57)【要約】【課題】お手玉遊び及び競技並びにジャグリングにトルマリンお手玉を使用することで、トルマリンによるマイナスイオンリラックス効果を生み、脳への刺激活性化により健康な心と身体の回復と成長の促進を実現すること。香りの玉との混存により、相乗効果を生み出すこと。【解決手段】お手玉遊び及び競技並びにジャグリングに使用する利き手と反対の手を使うルールを採用したトルマリンお手玉の中身に直径３／１０００ｍｍのリチアトルマリンの粉体２５０００個前後を摂氏６００℃から摂氏７００℃で一個のセラミックボ−ル化したトルマリンセラミックボールを混存、又香りの玉と混存する。お手玉１個の総重量は規定の４０ｇ以内。【選択図】図９
2004105429.tif 000002
【特許請求の範囲】
【請求項１】
材料は着物生地で、寸法４．５ｃｍ×９ｃｍの４枚はぎ座布団型に縫製され、３／１０００ｍｍのリチアトルマリンの粉体２５０００個前後を摂氏６００℃〜摂氏７００℃で一個のセラミックボ−ル化したセラミックボールを１００％中身に保持されていることを特徴とするトルマリンお手玉。
【請求項２】
材料は着物生地で、寸法１７ｃｍ×１０ｃｍの１枚生地俵型に縫製され、３／１０００ｍｍのリチアトルマリンの粉体２５０００個前後を摂氏６００℃から摂氏７００℃で一個のセラミックボ−ル化したトルマリンセラミックボールを１００％中身に保持されていることを特徴とするトルマリンお手玉。
【請求項３】
材料は着物生地で、寸法４．５ｃｍ×９ｃｍの４枚はぎ座布団型に縫製され、香りの玉を中身に備え、前記トルマリンセラミックボールを保持されていることを特徴とするトルマリンお手玉。
【請求項４】
材料は着物生地で、寸法１７ｃｍ×１０ｃｍの１枚生地俵型に縫製され、香りの玉を中身に備え、前記トルマリンセラミックボールを保持されていることを特徴とするトルマリンお手玉。
【発明の詳細な説明】
【０００１】
【発明の属する技術分野】
本発明は、お手玉遊び及び競技並びにジャグリングのお手玉に用いる中身に関する。
【０００２】
【従来の技術】
近年、頭痛や吐き気、目まい等人体に起きる不快感を解消する手段として、宝石の一種であるトルマリンを使ってマイナスイオンを発生させ、上記のような不快感の原因となるプラスイオンを打ち消してこれらの症状を緩和させ、心身の健康を回復させる技術が注目を集めている。
【０００３】
一方、お手玉遊びの歴史４千年有余の中で近年、お手玉遊びが復活し、普及拡大しており、ジャグリングなど触覚を通し人体の脳への刺激により脳の活性化、心の発達、身体の回復などの医学的効果による健康への効用が判明し、広範な年齢層に有史来の流行の兆しがある。
【０００４】
従来のお手玉は利き手が主であるが、トルマリンお手玉では、反対の手を使うル−ルを採用することを特徴とし、右脳、左脳の活性化を引出すことを目的としている。医学臨床例で心と身体の健康の早期回復例を多数生み出している。
【０００５】
利き手と反対の手を使うルールを取り入れたトルマリンお手玉は左右脳の働きのバランスを取り、触覚を鍛えることによる心の正常な発達に重要なことが明らかになってきている。
【０００６】
このような背景のもと、教育委員会がトルマリンお手玉のル−ルを採用したお手玉を授業に採用しだした。
【０００７】
【発明が解決しようとする課題】
このような背景から、本発明はお手玉の中身にトルマリンを含ませたトルマリンセラミックボールを使用し、お手玉の医学的効果に加え、お手玉遊び及び競技並びにジャグリングによるトルマリン効果を生み出すトルマリンお手玉の実現を目的としている。
さらに、香りの玉との混合による相乗効果の実現を目的としている。
【０００８】
【課題を解決するための手段】
上記の課題を解決するため、本発明は次のような手段を採用することとした。すなわち本発明に係る請求項１記載のトルマリンお手玉は、材料は着物生地で、寸法４．５ｃｍ×９ｃｍの４枚はぎ座布団型に縫製され、３／１０００ｍｍのリチアトルマリンの粉体２５０００個前後を摂氏６００℃から７００℃で一個のセラミックボ−ル化したトルマリンセラミックボ−ルを１００％中身に保持されていることを特徴とする。
【０００９】
請求項２記載のトルマリンお手玉は、材料は着物生地で、寸法１７ｃｍ×１０ｃｍの１枚生地俵型に縫製され、３／１０００ｍｍのリチアトルマリンの粉体２５０００個前後を摂氏６００℃から７００℃で一個のセラミックボ−ル化したトルマリンセラミックボ−ルを１００％中身に保持されていることを特徴とする。
【００１０】
請求項３記載のトルマリンお手玉は、材料は着物生地で、寸法４．５ｃｍ×９ｃｍの４枚はぎ座布団型に縫製され、香りの玉を中身に備え、請求項１記載のトルマリンセラミックボ−ルを保持されていることを特徴とする。
【００１１】
請求項４記載のトルマリンお手玉は、材料は着物生地で、１７ｃｍ×１０ｃｍの１枚生地俵型に縫製され、香りの玉を中身に備え、請求項２記載のトルマリンセラミックボ−ルを保持されていることを特徴とする。
【００１２】
トルマリンはそれ自体ではさほどの効果を生まず、トルマリンの粉体を含有したセラミックボ−ルの球体として提供されることとなる。そこで本発明はお手玉遊び及び競技並びにジャグリング使用のお手玉の中身として使用され、トルマリンのもつ効能を効果的に引出すことができる。
【００１３】
【発明の実施の形態】
本発明に係るトルマリンお手玉の第１の実施形態を図１から図７に示して説明する。本実施形態におけるトルマリンお手玉は図１に示すように、着物生地寸法４．５ｃｍ×９ｃｍの４枚はぎを図１のように配置する。次に図２に示すように２枚の着物はぎをＬ字型に重ね、イとイ’を縫う。図３に示すように糸を切らないようにロとロ’、ハとハ’を続けて縫う。角の部分は仕上がりがきれいになるように半返し縫いにする。残りの２枚も図２、図３の要領で縫い、図４に示すように、同じ型のものを作る。図５に示すように縫い合わせた着物はぎを図５のように折り、ニとニ’から順に糸を切らないように一辺だけを残して縫う。図６に示すように、紙等で筒を作り、縫い残した入れ口部分から、請求項１に記載したトルマリンセラミックボールを中身に入れられ図８に示されている。縫い合わせ面を図中点線表示。
【００１４】
本発明に係るトルマリンお手玉の第３の実施形態は、上記トルマリンお手玉の第１の実施形態説明の図６に示すように、縫い残した入れ口部分から香りの玉を中身に入れ、図９に示すように、請求項１に記載したトルマリンセラミックボ−ルと混存されている。
【００１５】
本発明に係るトルマリンお手玉の第２の実施形態を図１０から図１３に示して説明する。本実施形態におけるトルマリンお手玉は図１０に示すように寸法１７ｃｍ×１０ｃｍの１枚の着物生地を図１０に示すように、中表にして二つに折る。図１１に示すように、５ミリの縫い代で縦を縫い、横はぐし縫いして、ぎゅっと絞り、止める。図１２に示すように、表に返し、入り口部分をぐるりと縫い、糸を残したままの状態で、請求項２に記載したトルマリンセラミックボールを中身にいれられ図１４に示されている。
【００１６】
本発明に係るトルマリンお手玉の第４の実施形態は、上記トルマリンお手玉の第２の実施形態説明の図１２に示すように、縫い残した入れ口部分から香りの玉を中身に入れ、図１５にしめすように、請求項２に記載したトルマリンセラミックボールと混存されている。
【００１７】
本発明に係るトルマリンお手玉の中身は、トルマリンのもつ効能を効果的に引出すために、請求項１、請求項２、請求項３、請求項４に記載したトルマリンセラミックボールの形態を、リチアトルマリンを３／１０００ｍｍに粉体化し、２５０００個前後を摂氏６００℃から摂氏７００℃で一個のセラミックボール化し、１粒の直径を５ｍｍ、１粒の重量を約０．３２ｇの球体とし、表面状態を凹凸の無い面状仕上げ、形状のバラ付きのないようにし、お手玉遊び及び競技並びにジャグリングでの効果を引出しやすいように、お手玉一個の総重量は規定の約４０ｇ以内になるよう混存される。
【００１８】
本発明に係る請求項１、請求項３、に記載したトルマリンお手玉を構成する着物生地は、主に絹１００％を採用するが、ポリエチレンテレフタレ−ト、ナイロン、綿等の着物に仕立てられる繊維で構成される着物生地も採用され、請求項１、請求項３に記載したトルマリンお手玉を縫製する着物生地の寸法は４．５ｃｍ×９ｃｍ四方４枚とされる。
【００１９】
本発明に係る請求項２、請求項４、に記載したトルマリンお手玉を構成する着物生地は、主に絹１００％を採用するが、ポリエチレンテレフタレ−ト、ナイロン、綿等の着物に仕立てられる繊維で構成される着物生地も採用され、請求項２、請求項４に記載したトルマリンお手玉を縫製する着物生地の寸法は１７ｃｍ×１０ｃｍ四方１枚とされる。
【００２０】
【発明の効果】
以上説明したように、本発明に係るトルマリンお手玉によれば、トルマリン含有体のトルマリンセラミックボールを、課題を解決するための手段の形状とすることで、トルマリンのもつ効能を効果的に引出すことができる。
【図面の簡単な説明】
【図１】請求項１、請求項３の着物生地寸法
【図２】請求項１、請求項３のトルマリンお手玉の縫製工程
【図３】請求項１、請求項３のトルマリンお手玉の縫製工程
【図４】請求項１、請求項３のトルマリンお手玉の縫製工程
【図５】請求項１、請求項３のトルマリンお手玉の縫製工程
【図６】請求項１、請求項３記載のトルマリンセラミックボールを中身に入れる工程
【図７】請求項１、請求項３のトルマリンお手玉の完成図
【図８】請求項１のトルマリンセラミックボール混存図
【図９】請求項３記載の香りの玉及びトルマリンセラミックボール混存の図
【図１０】請求項２、請求項４の着物生地寸法
【図１１】請求項２、請求項４のトルマリンお手玉の縫製工程
【図１２】請求項２、請求項４記載のトルマリンセラミックボールを中身に入れる工程
【図１３】請求項２、請求項４のトルマリンお手玉の完成図
【図１４】請求項２のトルマリンセラミックボール混存図
【図１５】請求項４記載の香りの玉及びトルマリンセラミックボール混存の図
【符号の説明】
１　　　　　　　着物生地
２　　　　　　　トルマリンセラミックボール
３　　　　　　　香りの玉
イ．イ’　着物生地縫い合わせ面
ロ．ロ’　着物生地縫い合わせ面
ハ．ハ’　着物生地縫い合わせ面
ニ．ニ’　着物生地縫い合わせ面
ニ．ニ’　着物生地縫い合わせ面
ホ．ホ’　着物生地縫い合わせ面
【図１】
2004105429.tif 000003
【図２】
2004105429.tif 000004
【図３】
2004105429.tif 000005
【図４】
2004105429.tif 000006
【図５】
2004105429.tif 000007
【図６】
2004105429.tif 000008
【図７】
2004105429.tif 000009
【図８】
2004105429.tif 000010
【図９】
2004105429.tif 000011
【図１０】
2004105429.tif 000012
【図１１】
2004105429.tif 000013
【図１２】
2004105429.tif 000014
【図１３】
2004105429.tif 000015
【図１４】
2004105429.tif 000016
【図１５】
2004105429.tif 000017